(57)【要約】【課題】利用者が食材管理を行う際の利便性を向上し、人為的ミスを防ぎ、自動的に食材の在庫管理ができる食材タグを提供することを目的とする。【解決手段】利用者が識別しやすいように非接触ＩＤタグ２に食材のイラスト３を印刷、あるいは貼付などにより施して食材タグＡ１を構成したものである。これによって、利用者は複数の食材タグから容易に目的の食材タグを選択することができ、利便性が向上し、人為的ミスを防ぎ、自動的に食材の在庫管理ができる。【選択図】図１
2005148188.tif 000002
【特許請求の範囲】
【請求項１】
非接触ＩＤタグに食材のイラストを施して構成した食材タグ。
【請求項２】
非接触式ＩＤタグに食材に取り付ける結合部材を設けた請求項１に記載の食材タグ。
【請求項３】
非接触式ＩＤタグに食材名を施した請求項１または２に記載の食材タグ。
【請求項４】
ラミネート加工を施した請求項１〜３のいずれか１項に記載の食材タグ。
【請求項５】
請求項１〜４のいずれか１項に記載の複数の食材タグを食材タグ用カードファイルに収納するようにした食材タグ保管装置。
【請求項６】
食材タグ用カードファイルには食材の分類毎に付箋またはラベルを設けた請求項５に記載の食材タグ保管装置。
【請求項７】
食材タグ用カードファイルに代え、箱状の食材タグ用カードケースに複数の食材タグを収納するようにした請求項５に記載の食材タグ保管装置。
【請求項８】
食材タグ用カードケースには食材の分類毎に付箋またはラベルなどの表示部を設けた請求項７に記載の食材タグ保管装置。
【請求項９】
食材タグ用カードケースに食材タグのデータを読み書きするカードリーダ・ライタを設けた請求項７または８に記載の食材タグ保管装置。
【請求項１０】
食材に取り付ける食材タグと、食材タグ内の非接触ＩＤタグに電波を出力しデータの送受信を行う非接触ＩＤタグ用アンテナと、非接触ＩＤタグ用アンテナから食材タグのデータを取得する制御手段と、取得した食材在庫のデータを表示する表示手段とを備えた食材管理装置。
【請求項１１】
制御手段は、一定時間食材タグのデータを取得できなかったとき、該当の食材タグの食材データを初期化する請求項１０に記載の食材管理装置。
【請求項１２】
制御手段は、カードリーダ・ライタを設けた食材タグ保管装置からも食材タグのデータを取得するようにした請求項１０に記載の食材管理装置。
【請求項１３】
非接触ＩＤタグ用アンテナから取得した食材タグのデータを、ネット端末、パソコン、ネット対応テレビ、あるいはインターネットを通じた端末に表示する通信手段を備えた請求項１０に記載の食材管理装置。
【発明の詳細な説明】
【技術分野】
【０００１】
本発明は、冷蔵庫などにおける食材の在庫管理用の食材タグと食材タグ保管装置および食材管理装置に関するものである。
【背景技術】
【０００２】
従来から、冷蔵庫などに収納する食材の管理を自動的に行い、食品の腐敗や使い忘れ防止する装置が多く提案されている。その一つに非接触ＩＤタグ用リーダライタを用いたものがある（例えば、特許文献１参照）。また、「購入」「開封」「調理」といった用途別のラベルに日付などの必要データを記入し、食材に貼付することにより食材管理するものもある（例えば、特許文献２参照）。
【特許文献１】特開２００１−３１７８６２号公報
【特許文献２】特開２００３−２３３３１４号公報
【発明の開示】
【発明が解決しようとする課題】
【０００３】
しかしながら、前記従来の非接触ＩＤタグ用リーダライタを用いたものでは、食材のパッケージに非接触ＩＤタグが貼付されていることが前提であるが、現時点では主にバーコードが主流であり、全ての食材に非接触ＩＤタグを貼付することはコストアップといった課題があるとともに、流通面の整理といった課題を含め実用化には年月を要する。一方、用途別のラベルを作成・記入し食材に貼付する方式では、いちいちラベルに必要事項を記入しなければならず不便であり、記入ミスや記入忘れといった利用者の人為的ミス、あるいは冷蔵庫の奥に隠れてしまった食材については折角ラベルを貼付してあっても、既に賞味期限切れであったという不具合が発生する恐れもある。
【０００４】
本発明は、前記従来の課題を解決するもので、利用者が食材管理を行う際の利便性を向上し、人為的ミスを防ぎ、自動的に食材の在庫管理ができる食材タグと食材タグ保管装置および食材管理装置を提供することを目的とする。
【課題を解決するための手段】
【０００５】
前記従来の課題を解決するために、本発明の食材タグは、非接触ＩＤタグに食材のイラストを施して構成したものである。これによって、利用者は複数の食材タグから容易に目的の食材タグを識別、選択することができる。
【０００６】
また、本発明の食材タグ保管装置は、複数の食材タグを食材タグ用カードファイルまたは食材タグ用カードケースに収納するようにしたものである。これによって、利用者は複数の食材タグを整理して保管することができ、複数の食材タグから容易に目的の食材タグを選択することができる。
【０００７】
また、本発明の食材管理装置は、食材タグ内の非接触ＩＤタグに電波を出力しデータの送受信を行う非接触ＩＤタグ用アンテナと、非接触ＩＤタグ用アンテナから食材タグのデータを取得する制御手段と、取得した食材在庫のデータを表示する表示手段とを備えたものである。これによって、食材に取り付けた食材タグのデータを、非接触ＩＤタグ用アンテナを介して取得し、取得した食材在庫の情報を表示手段に表示することができる。
【発明の効果】
【０００８】
本発明の食材タグと食材タグ保管装置および食材管理装置は、利用者が食材管理を行う際の利便性を向上し、人為的ミスを防ぎ、自動的に食材の在庫管理ができる。
【発明を実施するための最良の形態】
【０００９】
第１の発明は、非接触ＩＤタグに食材のイラストを施して構成した食材タグとすることにより、利用者は複数の食材タグから容易に目的の食材タグを選択することができ、利用者の利便性を向上することができる。
【００１０】
第２の発明は、特に、第１の発明において、非接触式ＩＤタグに食材に取り付ける結合部材を設けたことにより、利用者は結合部材を用いて容易に食材へ食材タグを取り付けることができる。すなわち、肉や魚のパック製品だけでなく、形状の違う、特に野菜類へも食材タグを取り付けることができ、利用者の利便性を向上することができる。
【００１１】
第３の発明は、特に、第１または第２の発明において、非接触式ＩＤタグに食材名を施したことにより、利用者は複数の食材タグから容易に目的の食材タグを選択することができ、利用者の利便性を向上することができる。
【００１２】
第４の発明は、特に、第１〜第３のいずれか１つの発明において、ラミネート加工を施したことにより、利用者は水濡れを気にせず食材へ食材タグを取り付けることができ、また冷凍食品や湿度の高い生鮮食品にも取り付けることができ、利用者の利便性を向上することができる。
【００１３】
第５の発明は、特に、第１〜第４のいずれか１つの発明における複数の食材タグを食材タグ用カードファイルに収納するようにした食材タグ保管装置とすることにより、利用者は複数の食材タグを整理して保管することができ、複数の食材タグから容易に目的の食材タグを選択することができ、利用者の利便性を向上することができる。
【００１４】
第６の発明は、特に、第５の発明において、食材タグ用カードファイルには食材の分類毎に付箋またはラベルなどの表示部を設けたことにより、利用者は複数の食材タグを整理して保管することができ、複数の食材タグから容易に目的の食材タグを選択することができ、利用者の利便性を向上することができる。
【００１５】
第７の発明は、特に、第５の発明において、食材タグ用カードファイルに代え、箱状の食材タグ用カードケースに複数の食材タグを収納するようにしたことにより、利用者は複数の食材タグを整理して保管することができ、複数の食材タグから容易に目的の食材タグを選択することができ、利用者の利便性を向上することができる。
【００１６】
第８の発明は、特に、第７の発明において、食材タグ用カードケースには、食材の分類毎に付箋またはラベルを設けたことにより、利用者は複数の食材タグを整理して保管することができ、複数の食材タグから容易に目的の食材タグを選択することができ、利用者の利便性を向上することができる。
【００１７】
第９の発明は、特に、第７または第８の発明において、食材タグ用カードケースに食材タグのデータを読み書きするカードリーダ・ライタを設けたことにより、食材タグを食材タグ用カードケースに戻すだけで、自動的にカードの情報を読み書きし、利用者の利便性を向上するとともに人為的ミスを防ぐことができる。
【００１８】
第１０の発明は、食材に取り付ける食材タグと、食材タグ内の非接触ＩＤタグに電波を出力しデータの送受信を行う非接触ＩＤタグ用アンテナと、非接触ＩＤタグ用アンテナから食材タグのデータを取得する制御手段と、取得した食材在庫のデータを表示する表示手段とを備えた食材管理装置とすることにより、利用者は表示内容を確認することで、食材の在庫管理を行うことができる。
【００１９】
第１１の発明は、特に、第１０の発明において、制御手段は、一定時間食材タグのデータを取得できなかったとき、該当の食材タグの食材データを初期化することにより、一旦冷蔵庫に収納された食材を利用者が料理のために取り出し、その後制御手段が一定時間該当の食材タグのデータが取得できなかったとき、該当の食材を利用者が使い切ったと判断し、該当の食材タグの食材データを初期化することで、食材の在庫状況の管理を自動的に行うことができる。
【００２０】
第１２の発明は、特に、第１０の発明において、制御手段は、カードリーダ・ライタを設けた食材タグ保管装置からも食材タグのデータを取得するようにしたことにより、一旦冷蔵庫に収納された食材を利用者が料理のために取り出し、その後利用者が食品を使い切り該当の食材の食材タグが食材タグ用カードケースに戻されたとき、制御手段は該当の食材タグの食材データを初期化することで、食材の在庫状況の管理を自動的に行うことができる。
【００２１】
第１３の発明は、特に、第１０の発明において、非接触ＩＤタグ用アンテナから取得した食材タグのデータを、ネット端末、パソコン、ネット対応テレビ、あるいはインターネットを通じた端末に表示する通信手段を備えたことにより、ネット端末、パソコン、ネット対応テレビ、あるいはインターネットを通じた端末で、利用者はいつでもどこでも食材の在庫状況を確認することができる。
【００２２】
以下、本発明の実施の形態について、図面を参照しながら説明する。なお、この実施の形態によって本発明が限定されるものではない。
【００２３】
（実施の形態１）
図１〜図４は、本発明の実施の形態１における食材タグを示すものである。
【００２４】
図１は、食材タグの第１の例を示したものであり、食材に取り付けるための食材タグＡ１は、非接触ＩＤタグ２に食材のイラスト３（この例では牛肉を示す）を印刷、あるいは貼付などにより施して構成したものである。これにより、利用者は複数の食材タグから容易に目的の食材タグを選択することができ、利用者の利便性を向上することができる。
【００２５】
図２は、食材タグの第２の例を示したものであり、食材タグＢ４は、食材に取り付ける結合部材５（例えば、輪ゴム、紐など）を設けたものである。これにより、利用者は結合部材５を用いて容易に食材へ食材タグＢ４を取り付けることができる。すなわち、肉や魚のパック製品だけでなく、形状の違う野菜類へも食材タグを取り付けることができ、利用者の利便性を向上することができる。特に、結合部材５が輪ゴムの場合、きわめて簡単に食材に取り付けることができる。
【００２６】
図３は、食材タグの第３の例を示したものであり、（ａ）〜（ｃ）に示すように、食材タグＣ６は、非接触式ＩＤタグに、食材名（牛肉、牛乳、大根など）を印刷、あるいは貼付などにより施したものである。これにより、利用者は複数の食材タグから容易に目的の食材タグを選択することができ、利用者の利便性を向上することができる。
【００２７】
図４は、食材タグの第４の例を示したものであり、食材タグＤ７は、例えば、図２に示す食材タグＢ４にラミネート材８を施しラミネート加工したものである。これにより、利用者は水濡れを気にせず食材へ食材タグを取り付けることができ、また冷凍食品や湿度の高い生鮮食品にも取り付けることができ、利用者の利便性を向上することができる。
【００２８】
このように、本実施の形態における、イラスト３を施した食材タグは、食材に取り付けることにより、利用者は複数の食材タグから容易に目的の食材タグを選択することができ、利用者の利便性を向上することができるものである。
【００２９】
（実施の形態２）
図５〜図９は、本発明の実施の形態２における食材タグ保管装置を示すものである。
【００３０】
図５は、食材タグ保管装置の第１の例を示したものであり、実施の形態１における複数の食材タグ１、４、６、７のいずれか（この例では食材タグＢ４の場合を示す）を食材タグ用カードファイルＡ９に設けた複数の食材タグ収納部９ａに出し入れ自在に収納するようにした食材タグ保管装置としたものである。これにより、利用者は複数の食材タグを整理して保管することができ、複数の食材タグから容易に目的の食材タグを選択することができ、利用者の利便性を向上することができる。
【００３１】
図６は、食材タグ保管装置の第２の例を示したものであり、食材の分類毎に付箋またはラベルなどの表示部１０ｂを設けた食材タグ用カードファイルＢ１０としたものであり、食材タグＢ４を複数の食材タグ収納部１０ａに出し入れ自在に収納するようにしたものである。表示部１０ｂを除く他の構成は図５の食材タグ用カードファイルと同様である。これにより、利用者は、表示部１０ｂに基づいて、食材の分類毎に複数の食材タグを整理して保管することができ、複数の食材タグから容易に目的の食材タグを選択することができ、利用者の利便性を向上することができる。
【００３２】
図７は、食材タグ保管装置の第３の例を示したものであり、図５、図６に示した食材タグ用カードファイルに代え、例えば、上方が開放された箱状の食材タグ用カードケースＡ１１に複数の食材タグ（この例では食材タグＢ４の場合を示す）を開放部から収納するようにしたことにより、利用者は複数の食材タグを整理して保管することができ、複数の食材タグから容易に目的の食材タグを選択することができ、利用者の利便性を向上することができる。
【００３３】
図８は、食材タグ保管装置の第４の例を示したものであり、図７に示した食材タグ用カードケースと同様な食材タグ用カードケースＢ１２には、食材の分類毎に付箋またはラベルなどの表示部１２ａを設けて食材タグを整理して保管することができるようにしたものである。これにより、利用者は、表示部１２ａに基づいて、食材の分類毎に複数の食材タグを整理して保管することができ、複数の食材タグから容易に目的の食材タグを選択することができ、利用者の利便性を向上することができる。
【００３４】
図９は、食材タグ保管装置の第５の例を示したものであり、図７、図８に示した食材タグ用カードケースと同様な食材タグ用カードケースＣ１３には、食材タグＢ４のデータを読み書きするカードリーダ・ライタ１４を設けたものである。これにより、食材タグＢ４を食材タグ用カードケースＣ１３に戻すだけで、自動的にカードの情報を読み書きし、利用者の利便性を向上するとともに人為的ミスを防ぐことができる。
【００３５】
このように、本実施の形態における食材タグ保管装置は、利用者が複数の食材タグを整理して保管することができ、複数の食材タグから容易に目的の食材タグを選択することができ、利用者の利便性を向上することができる。
【００３６】
（実施の形態３）
図１０〜図１７は、本発明の実施の形態３における食材管理装置を示すものである。
【００３７】
図１０は、食材管理装置の第１の例を示したものであり、冷蔵庫１５に収容する食材１６に取り付けた、実施の形態１における食材タグ（この例では食材タグＡ１の場合を示す）と、食材タグ内の非接触ＩＤタグ２に電波を出力しデータの送受信を行う冷蔵庫１５内の非接触ＩＤタグ用アンテナ１７と、非接触ＩＤタグ用アンテナ１７から食材タグＡ１のデータを取得する第１の制御手段１８と、取得した食材在庫のデータを表示する表示手段１９とを備えた食材管理装置としたものである。
【００３８】
以上のように構成された食材管理装置について、図１１に基づきその動作、作用を説明する。
【００３９】
ここでは、図１に示した食材タグＡ１が、図５に示した食材タグ用カードファイルＡ９に収納されている場合を例にとって説明する。まず、利用者は、食材タグ用カードファイルＡ９に収納されている複数の食材タグＡ１から目的の食材１６に合った食材タグＡ１を選び出して貼付する（Ｓｔｅｐ１）。この時、利用者は、食材タグＡ１には該当の食材のイラスト３が施してあるため、容易に目的の食材タグＡ１を選び出すことができる。また、食材タグＡ１には施した食材のイラスト３に合致した情報があらかじめインプットされている。例えば、「タグ独自のシリアル番号（例：００１、００２、００３）」「食材の分類（例：肉類／魚介類／野菜）」「食材名（例：牛肉／牛乳／大根）」などである。
【００４０】
そして、利用者は食材タグＡ１を貼付した食材１６を冷蔵庫１５に収納する（Ｓｔｅｐ２）。その後、利用者は食材１６を冷蔵庫１５から取り出して料理に使ったり、飲食したりすることとなる（Ｓｔｅｐ３）。そして、料理で使い切ったり、飲食し切ったりして（Ｓｔｅｐ４）、再び冷蔵庫１５に収納することが無くなった食材１６については、貼付されていた食材タグＡ１を食材１６から外して食材タグ用カードファイルＡ９に再び収納して保管する（Ｓｔｅｐ５）。Ｓｔｅｐ４において食材１６を使い切らずに再度冷蔵庫１５に収納する場合については、Ｓｔｅｐ２に戻る。
【００４１】
一方、食材管理装置は、非接触ＩＤタグ用アンテナ１７が電波を出力し、冷蔵庫１５に収納されている食材１６に貼付されている食材タグＡ１とデータの送受信を行う（Ｓｔｅｐ６）。ここで、非接触ＩＤタグ用アンテナ１７はアンチコリジョン方式に対応しており、冷蔵庫１５内に複数の食材タグＡ１が存在しても、その個々の食材タグＡ１とデータの送受信を行うことが可能である。次に、第１の制御手段１８は非接触ＩＤタグ用アンテナ１７から食材タグＡ１のデータを取得し（Ｓｔｅｐ７）、表示手段１９は取得した食材の情報を表示する（Ｓｔｅｐ８）。ここで、食材の在庫データとしては、例えば、食材の「分類」「食材名」「収納開始日」「庫内／使用中」といった情報であり、これらを表示する。「庫内／使用中」とは、冷蔵庫１５内にある食材は「庫内」、冷蔵庫１５内にはなく料理などで使用中の食材については「使用中」と表示することであり、該当の食材が再び冷蔵庫１５に収納されたなら「庫内」と表示することとなる。
【００４２】
このように、本実施の形態における食材管理装置の第１の例では、複数の食材タグＡ１をカードファイル９に収納することにより、利用者は複数の食材タグＡ１を整理して保管することができ、また非接触ＩＤタグ２に食材のイラスト３を施したことにより、利用者は複数の食材タグＡ１から容易に目的の食材タグＡ１を選び出すことができ、利用者の利便性を向上することができる。また利用者は食材タグＡ１を食材１６に貼付して冷蔵庫１５に収納するだけで自動的に食材の管理ができ、表示手段１９の表示内容を確認することで食材の在庫管理を行うことができる。
【００４３】
図１２は、食材管理装置の第２の例を示したものであり、タイマ２０は該当の食材タグＡ１のデータが取得できない時間をカウントし、第２の制御手段２１は一定時間の食材タグＡ１のデータが取得できなかったとき、該当の食材タグＡ１のデータを初期化するものである。他の構成は、図１０に示した食材管理装置と同様である。
【００４４】
以上のように構成された食材管理装置について、図１３に基づきその動作、作用を説明する。
【００４５】
Ｓｔｅｐ１〜Ｓｔｅｐ７までは、図１１と同様である。ここで、利用者により食材１６が冷蔵庫１５から取り出されたとき、タイマ２０は該当の食材タグＡ１のデータが取得できない時間のカウントを開始する。そして、食材１６を料理で使い切ったり、あるいは飲食したりして再び冷蔵庫１５に収納することが無くなることにより、一定時間の食材タグＡ１のデータを第２の制御手段２１が取得できなかったとき（Ｓｔｅｐ９）、該当の食材タグＡ１のデータを初期化し（Ｓｔｅｐ１０）、表示手段１９は該当の食材１６のデータをリストから削除して残りの食材の在庫データを表示する（Ｓｔｅｐ１１）。Ｓｔｅｐ９において一定時間経過しない時は、そのまま食材の在庫データをＳｔｅｐ１１で表示する。
【００４６】
このように、本実施の形態における食材管理装置の第２の例では、第２の制御手段２１が一定時間該当の食材タグＡ１のデータが取得できなかったとき、該当の食材１６を利用者が使い切ったと判断し、該当の食材タグＡ１の食材データを初期化することで、食材の在庫状況の管理を自動的に行うことができる。利用者は使い切った食材に貼付していた食材タグＡ１のデータを初期化する必要はない。
【００４７】
図１４は、食材管理装置の第３の例を示したものであり、ここでは、図２に示した食材タグＢ４が、図９に示した食材タグ用カードケースＣ１３収納されている場合を例にとって説明する。すなわち、第３の制御手段２２はカードリーダ・ライタ１４とデータの送受信を行い、食材タグＢ４が食材タグ用カードケースＣ１３に戻されたとき、該当の食材タグＢ４の食材データを初期化するものである。他の構成は、図１０に示した食材管理装置と同様である。
【００４８】
以上のように構成された食材管理装置について、図１５に基づきその動作、作用を説明する。
【００４９】
Ｓｔｅｐ１〜Ｓｔｅｐ７までは、図１１と同様である。ここで、利用者が食材１６を冷蔵庫１５から取り出し、そして料理で使い切ったり、あるいは飲食したりして再び冷蔵庫１５に収納することが無くなったとき、食材タグＢ４を食材１６から外して食材タグ用カードケースＣ１３に収納し保管する。第３の制御手段２２は食材タグ用カードケースＣ１３のカードリーダ・ライタ１４とデータの送受信を行い（Ｓｔｅｐ１２）、該当の食材タグＢ４が食材タグ用カードケースＣ１３に戻されていることを確認すると（Ｓｔｅｐ１３）、該当の食材タグＢ４の食材データを初期化し（Ｓｔｅｐ１４）、表示手段１９は該当の食材１６のデータをリストから削除して残りの食材の在庫データを表示する（Ｓｔｅｐ１５）。Ｓｔｅｐ１３において食材タグＢ４が無い時は、そのまま食材の在庫データをＳｔｅｐ１５で表示する。
【００５０】
このように、本実施の形態における食材管理装置の第３の例では、食材タグ保管装置からも食材タグＢ４のデータを取得することができ、一旦冷蔵庫１５に収納された食材１６を利用者が料理のために取り出し、その後利用者が食品を使い切り該当の食材の食材タグＢ４が食材タグ用カードケースＣ１３に戻されたとき、第３の制御手段２２は該当の食材タグＢ４の食材データを初期化することで、食材の在庫状況の管理を自動的に行うことができる。利用者は使い切った食材の食材タグＢ４のデータを初期化する手間を必要としない。
【００５１】
図１６は、食材管理装置の第４の例を示したものであり、第４の制御手段２３は、非接触ＩＤタグ用アンテナ１７から取得した食材タグＡ１のデータを、通信手段２４を介して、ネット端末、パソコン、ネット対応テレビ、あるいはインターネットを通じた端末であるデータ受信・表示手段２５に表示するものである。他の構成は、図１０に示した食材管理装置と同様である。
【００５２】
以上のように構成された食材管理装置について、図１７に基づきその動作、作用を説明する。
【００５３】
Ｓｔｅｐ１〜Ｓｔｅｐ７までは、図１１と同様である。ここで、第４の制御手段２３が取得した食材在庫のデータは、通信手段２４によりデータ受信・表示手段２５に送られる（Ｓｔｅｐ１６）。データ受信・表示手段２５は通信手段２４からの食材データを受信し、表示する（Ｓｔｅｐ１７）。
【００５４】
このように、本実施の形態における食材管理装置の第４の例では、通信手段２４を設けることにより、ネット端末、パソコン、ネット対応テレビ、あるいはインターネットを通じた端末に食材のデータを表示することができ、利用者はいつでもどこでも食材の在庫状況を確認することができる。
【産業上の利用可能性】
【００５５】
以上のように、本発明にかかる食材タグと食材タグ保管装置および食材管理装置は、利用者が食材管理を行う際の利便性を向上し、人為的ミスを防ぎ、自動的に食材の在庫管理ができるものであるので、冷蔵庫、冷凍庫、保温庫あるいは保存庫などにおける食材管理が行えるとともに、将来的に流通を通じて非接触ＩＤタグが一部の食材に貼付されるようになった際や、その他の非接触ＩＤタグが貼付されていない食材を管理する場合などにも適用することができる。
【図面の簡単な説明】
【００５６】
【図１】本発明の実施の形態１における第１の例を示す食材タグの構成図
【図２】同第２の例を示す食材タグの構成図
【図３】同第３の例を示す食材タグの構成図
【図４】同第４の例を示す食材タグの構成図
【図５】本発明の実施の形態２における第１の例を示す食材タグ保管装置の斜視図
【図６】同第２の例を示す食材タグ保管装置の斜視図
【図７】同第３の例を示す食材タグ保管装置の斜視図
【図８】同第４の例を示す食材タグ保管装置の斜視図
【図９】同第５の例を示す食材タグ保管装置の斜視図
【図１０】本発明の実施の形態３における第１の例を示す食材管理装置のブロック図
【図１１】同食材管理装置の動作を示すフローチャート
【図１２】同第２の例を示す食材管理装置のブロック図
【図１３】同食材管理装置の動作を示すフローチャート
【図１４】同第３の例を示す食材管理装置のブロック図
【図１５】同食材管理装置の動作を示すフローチャート
【図１６】同第４の例を示す食材管理装置のブロック図
【図１７】同食材管理装置の動作を示すフローチャート
【符号の説明】
【００５７】
１  食材タグＡ
２  非接触ＩＤタグ
３  食材のイラスト
４  食材タグＢ
５  結合部材
６  食材タグＣ
７  食材タグ
８  ラミネート材
９  食材タグ用カードファイルＡ
１０  食材タグ用カードファイルＢ
１１  食材タグ用カードケースＡ
１２  食材タグ用カードケースＢ
１３  食材タグ用カードケースＣ
１４  カードリーダ・ライタ
１５  冷蔵庫
１６  食材
１７  非接触ＩＤタグ用アンテナ
１８  第１の制御手段
１９  表示手段
２０  タイマ
２１  第２の制御手段
２２  第３の制御手段
２３  第４の制御手段
２４  通信手段
２５  データ受信・表示手段
【図１】
2005148188.tif 000003
【図２】
2005148188.tif 000004
【図３】
2005148188.tif 000005
【図４】
2005148188.tif 000006
【図５】
2005148188.tif 000007
【図６】
2005148188.tif 000008
【図７】
2005148188.tif 000009
【図８】
2005148188.tif 000010
【図９】
2005148188.tif 000011
【図１０】
2005148188.tif 000012
【図１１】
2005148188.tif 000013
【図１２】
2005148188.tif 000014
【図１３】
2005148188.tif 000015
【図１４】
2005148188.tif 000016
【図１５】
2005148188.tif 000017
【図１６】
2005148188.tif 000018
【図１７】
2005148188.tif 000019